(57)【要約】【課題】マンションの共用玄関、ビルの通用口、工場のゲート、研究室入口、事務室入口、その他多くの所で出入管理の需要が増えている。出入管理だけでなく、共同宅配便受け等で使用する個人識別の需要も増えている。磁気カードやＩＣカードを使ったシステムを組むと高価なものとなる。従来から有るキースイッチでは個人識別ができず、１種類の信号きり得られない。自分の持っている合い鍵を使って簡単な個人識別ができる機構を提供することが課題である。【解決手段】合い鍵を受け入れるシリンダーで、個々の合い鍵を識別するためにシリンダーのドライバーピンに軸を設け、軸をシリンダーの外に突き出し、軸の位置と突き出し寸法を知る事で個々の合い鍵を識別する信号シリンダーを提供する。【選択図】　図１
2004108107.tif 000002
【特許請求の範囲】
【請求項１】
ピンシリンダーのドライバーピンを信号ドライバーピン軸（９）を持つ信号ドライバーピン（１５）に代え、信号ドライバーピン軸をシリンダーの外部へ突き出す事を特徴とするシリンダー。
【請求項２】
信号ドライバーピン軸の突き出しを関知する為に、信号ドライバーピン軸にスイッチの接点（４４）（４５）を組み合わせた請求項１記載の信号シリンダー。
【請求項３】
シリンダーの内筒と外筒を分離せず、一体のシリンダー筒（６６）とした請求項１記載の信号シリンダー。
【発明の詳細な説明】
【０００１】
【発明の属する技術分野】
錠のシリンダーから、シリンダーに差し込んだ合い鍵毎の個別の信号を得るシリンダーに関する。
【０００２】
【従来の技術】
似たものにはキースイッチがある。これは合い鍵を差し込み、キーが回ったらスイッチをＯＮするもので、シリンダー先端のテールピースでスイッチをＯＮＮ、ＯＦＦさせるものである。シリンダーが回ったか回らないかを知るものであり、どの合い鍵で回したかを知るものではない。
【０００３】
【発明が解決しようとする課題】
逆マスター装置仕様のキースイッチの需要が増えている。マンションの協同玄関の自動ドアを開ける為のキースイッチではどの合い鍵で通ってもシリンダーが回ったという信号を得るだけで、どの合い鍵でシリンダーを回したか知ることが出来ないために合い鍵毎に個別の対処をすることが出来ない。例えば、ゲートが複数有った場合はその中の特定のゲートのみを開ける事が出来ない。また、自室まで長い通路を通る場合は自室までの通路の必要なゲートを開け、点灯し、空調すれば良いが、従来のキースイッチではそのような合い鍵毎の個別の信号を出すことは出来ず、接続した全回路のＯＮ、ＯＦＦだけとなる。その為にそのような需要にはキースイッチでは使用できず、カードリーダーと制御盤を設けて磁気カードやＩＣカードを使ってシステムを組み行っている。
個別の合い鍵は合い鍵毎の個別の情報を持っている。しかし従来のシリンダーはシリンダーの中にその情報を封じてしまっている。合い鍵毎の個別の情報を封じることなくシリンダーから信号を出力する事で、カードを使ったシステムのカードリーダーの役割をシリンダーにさせることが出来る。そのようなシリンダーを作ることが課題である。
【０００４】
【課題を解決するための手段】
シリンダーが合い鍵を見分ける方法は合い鍵のキザミ位置と深さを知ることである。位置と深さはシリンダーに差し込まれた合い鍵によってシリンダーのピンが上下し、キザミ毎の位置と深さでピンが止まることで知る。合い鍵であればキーを回すことが出来る。シリンダーのピンの動きは差し込まれた合い鍵のキザミ位置と深さに一致する。シリンダーのピンをシリンダー内に封じ込めず、シリンダー外に突き出せばその突き出しを知る事で合い鍵毎の個別の情報を知ることが出来る。その為にシリンダーのドライバーピンに軸を設けて軸をシリンダーから突き出す機構とした。そのドライバーピンにスイッチの接点を組み合わせる事で電気信号に変えた。信号を出力するだけなら合い鍵を回さずとも良いので、キーを差し込むだけで信号を得るシリンダー機構も作った。
【０００５】
【発明の実施の形態】
図に基づいて説明する。図１が請求項１記載の信号シリンダーの外観である。信号ドライバーピン軸（９）がシリンダーの外部に突き出すのが特徴である。この軸の突き出し寸法が合い鍵のキザミの深さを表す。その為この軸の突き出し位置と突き出し寸法を知る事でどの合い鍵を差し込んだかが判る。
ドライバーピンを信号ドライバーピンに代えるのは、シリンダーの全部のドライバーピンを代えても良く、一部を代えても良い。一部を代えると言うことは合い鍵を個別に識別するのではなく、グループを識別するときに使用できる。
図２が図１のＡＡ断面にあたる。全部のドライバーピンを信号ドライバーピンに代えているので、合い鍵の全部のキザミを読みとることが出来る。図１は合い鍵を差し込まない時で、図２が合い鍵を差し込んだ時の信号ドライバーピンの位置を示すものである。マスターキー仕様や逆マスターキー仕様のシリンダーでは従来通りにマスターピン（１６）を加えて製作する。
図４が従来のピンシリンダーを説明する図で、図１のＢＢ断面にあたる。ドライバーピン（２５）に軸は無く、合い鍵のキザミの深さの情報はシリンダー内に封じてしまっている。
【０００６】
図５と図６が信号ドライバーピン軸（３６）にスイッチの接点（４４）（４５）を組み合わせて信号を取り出す請求項２記載の説明をする図である。シリンダーピンの動く力は微弱で、接点は信号ドライバーピンの動きを妨げないように組み合わせる事が必要である。合い鍵の深さの信号を取り出すには、図８のようにキザミの深さの種類分けの接点（６３）（６４）（６５）を信号ドライバーピン軸（６１）毎に設ける必要がある。
図７は、本発明が多くのピンシリンダーの種類に利用できることを示す参考例であり、変形例である。Ａがディンプルキーを使ったシリンダーの種類の、ドライバーピンの一部を信号ドライバーピンに代えたものである。Ｂが合い鍵の両面にキザミを持ち、シリンダーの上下にピンを設けたシリンダー下側のドライバーピンを信号ドライバーピンにしたものである。左右にピンを設けたシリンダーはこのシリンダーを９０度横に向けたものである。
【０００７】
図９が、差し込んだ合い鍵を回さないで信号を得る請求項３記載の説明をする図１のＢＢ断面にあたる図である。キーを回さなければシリンダーの外筒と内筒を区分けする必要が無く、ピンもタンブラーピンやマスターピンは必要なく、信号ドライバーピンのみ有れば良い。この時の問題として、キーを抜き差しするときに信号ドライバーピン軸の導電材が、合い鍵のキザミの位置とは別の位置を通過して誤った信号を発するのを防ぐ為に、キーが奥まで差し込まれた時にキー先端でプッシャー（７４）を押し、スイッチ（７５）をＯＮするスイッチを組み合わせる事で解決する。キーを奥まで差し込んだときだけすべての信号が出力されるようにすれば良い。図１０は、図９のシリンダーを図１のＡＡ断面で見たところを示し、シリンダーの先端のスイッチを説明するものである。
【０００８】
【発明の効果】
従来のシリンダーを使って信号を取り出すキースイッチでは、シリンダーが回ったかどうかを知るだけであった。その為磁気カードやＩＣカードをカードリーダーに通して知るように、どの合い鍵を使ったかを知る事が出来なかった。
本発明の信号シリンダーを使用し、目的に会わせてシリンダーのドライバーピンの一部又は全部を信号ドライバーピンに代えることで、目的の合い鍵を識別する事が出来る。
磁気カードやＩＣカードを使ったシステムではより大きい識別機能を有しているが、そこまで要求の無い場合に安価で簡単な装置がなかった。
この信号シリンダーは磁気カードやＩＣカードを使ったシステムと従来のキースイッチの中間の需要を満たす合い鍵の識別装置として使用できるものである。
【図面の簡単な説明】
【図１】信号シリンダーの斜視図である。
【図２】信号シリンダーに合い鍵を差し込んだ状態の図１のＡＡ断面である。
【図３】Ａ．信号シリンダーに合い鍵を差し込んだ状態の図１のＢＢ断面である。
Ｂ．Ａの中の信号ドライバーピンとその周囲を説明する図である。
【図４】従来のシリンダーで、合い鍵を差し込んだ状態の図１のＢＢ断面にあたる。
【図５】信号ドライバーピンから信号を取り出す説明をする図で、図１のＢＢ断面にあたる。
【図６】図５のＣを拡大した図である。
【図７】Ａ．合い鍵面の窪みを使用するディンプルシリンダーに、信号ドライバーピンを組み込んだ請求項１記載の変形例である。
Ｂ．キーの上下又は左右にシリンダーピンをもつシリンダーに、信号ドライバーピンを組み込んだ請求項１記載の変形例である。
【図８】合い鍵の、キザミ深さ毎の信号を得る方法を説明する図で、図１のＢＢ断面にあたる図である。
【図９】差し込んだ合い鍵を回さずに信号を得る機構を説明する図１のＢＢ断面にあたる図である。
【図１０】差し込んだ合い鍵を回さずに信号を得る機構を説明する図１のＡＡ断面の奥側半分にあたる図である。
【符号の説明】
１．　シリンダー
２．　合い鍵
３．　外筒
４．　内筒
５．　鍵穴
６．　テールピース
７．　外筒のシリンダーピン収納部
８．　ガイドリング抜け止め
９．　信号ドライバーピン軸
１０．　深いキザミ
１１．　中間のキザミ
１２．　浅いキザミ
１３．　内筒抜け止めリング
１４．　タンブラーピン
１５．　信号ドライバーピン
１６．　マスターピン
１７．　ガイドリング
１８．　シリンダーバネ
１９．　外筒
２０．　内筒
２１．　鍵穴
２２．　合い鍵
２３．　シリンダーバネ止め押さえ
２４．　タンブラーピン
２５．　ドライバーピン
２６．　シリンダーバネ
２７．　シリンダーバネ止め
２８．　外筒
２９．　内筒
３０．　合い鍵
３１．　タンブラーピン
３２．　ドライバーピン
３３．　シリンダーバネ
３４．　ガイドリング
３５．　ガイドリング抜け止め
３６．　信号ドライバーピン軸
３７．　接点バー．ロ
３８．　接点バー．イ
３９．　絶縁材の留め具
４０．　出力コード．イ
４１．　出力コード．ロ
４２．　絶縁材
４３．　導電材
４４．　接点．イ
４５．　接点．ロ
４６．　外筒
４７．　内筒
４８．　ディンプル型合い鍵
４９．　信号ドライバーピン軸
５０．　外筒
５１．　内筒
５２．　両側キザミのキー
５３．　信号ドライバーピン軸
５４．　外筒
５５．　内筒
５６．　合い鍵
５７．　ドライバーピン
５８．　マスターピン
５９．　グランドマスターピン
６０．　信号ドライバーピン
６１．　信号ドライバーピン軸
６２．　導電材
６３．　深いキザミ用接点
６４．　中間のキザミ用接点
６５．　浅いキザミ用接点
６６．　シリンダー筒
６７．　合い鍵
６８．　信号ドライバーピン
６９．　信号ドライバーピン軸
７０．　導電材
７１．　深いキザミ用接点
７２．　中間のキザミ用接点
７３．　浅いキザミ用の接点
７４．　スイッチプッシャー
７５．　スイッチ
７６．　コード
【図１】
2004108107.tif 000003
【図２】
2004108107.tif 000004
【図３】
2004108107.tif 000005
【図４】
2004108107.tif 000006
【図５】
2004108107.tif 000007
【図６】
2004108107.tif 000008
【図７】
2004108107.tif 000009
【図８】
2004108107.tif 000010
【図９】
2004108107.tif 000011
【図１０】
2004108107.tif 000012